【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
写真を撮影し販売する事業者、もしくはそれを購入する利用者によって操作されるそれぞれの端末装置と通信ネットワークを介して接続される写真データ預貯金サーバを用いた写真サービス提供システムであって、
前記端末装置からアップロードされる撮影データを取り込み、写真データ預貯金サーバに登録する撮影データ取り込み部と、
前記撮影データの登録に伴い通知される識別情報に基づき前記端末装置によって生成される撮影データの購入要求を受信し、前記写真データ預貯金サーバから購入要求に該当する撮影データを読み出してダウンロード提供する撮影データ提供部と、
を備えたことを特徴とする写真データ預貯金サーバを用いた写真サービス提供システム。
【請求項２】
前記撮影データの購入要求を受信したときに前記要求のあった端末を介して利用者に対する課金請求を行い、当該課金処理されことを契機に前記撮影データ提供部による撮影データのダウンロード提供を指示する課金処理部と、
を備えたことを特徴とする請求項１に記載の写真データ預貯金サーバを用いた写真サービス提供システム。
【請求項３】
前記課金処理部は、利用者が所有する端末または事業者が所有する端末に対して課金処理を行うことを特徴とする請求項２記載の写真データ預貯金サーバを用いた写真サービス提供システム。
【請求項４】
前記撮影データのアップロードまたはダウンロードの際に、利用者に対してサービスを提供するためのデータであるサービスデータを端末に送信する送信手段を有することを特徴とする請求項１から請求項３のうちいずれかに記載の写真データ預貯金サーバを用いた写真サービス提供システム。
【請求項５】
写真を撮影し販売する事業者、もしくはそれを購入する利用者によって操作されるそれぞれの端末装置と通信ネットワークを介して接続される写真データ預貯金サーバを用いた写真サービス提供システムにおける撮影データの預け入れ・取出し方法であって、
前記端末装置からアップロードされる撮影データを取り込み、前記写真データ預貯金サーバに登録するステップと、
前記撮影データの登録に伴い通知される識別情報に基づき前記端末装置によって生成される撮影データの購入要求を受信し、前記写真データ預貯金サーバから購入要求に対応する撮影データを読み出してダウンロード提供するステップと、
を有することを特徴とする撮影データの預け入れ・取出し方法。
【請求項６】
写真を撮影し販売する事業者、もしくはそれを購入する利用者によって操作されるそれぞれの端末装置と通信ネットワークを介して接続される写真データ預貯金サーバを用いた写真サービス提供システムに用いられるプログラムであって、
前記端末装置からアップロードされる撮影データを取り込み、前記写真データ預貯金サーバに登録する処理と、
前記撮影データの登録に伴い通知される識別情報に基づき前記端末装置によって生成される撮影データの購入要求を受信し、前記写真データ預貯金サーバから購入要求に対応する撮影データを読み出してダウンロード提供する処理と、
をコンピュータに実行させるプログラム。
【手続補正２】
【補正対象書類名】明細書
【補正対象項目名】発明の名称
【補正方法】変更
【補正の内容】
【発明の名称】写真データ預貯金サーバを用いた写真サービス提供システム、および同システムにおける撮影データ預け入れ・取出し方法、ならびにそのプログラム
【手続補正３】
【補正対象書類名】明細書
【補正対象項目名】０００７
【補正方法】変更
【補正の内容】
【０００７】
上記した課題を解決するために本発明は、写真を撮影し販売する事業者、もしくはそれを購入する利用者によって操作されるそれぞれの端末装置と通信ネットワークを介して接続される写真データ預貯金サーバを用いた写真サービス提供システムであって、
前記端末装置からアップロードされる撮影データを取り込み、写真データ預貯金サーバに登録する撮影データ取り込み部と、前記撮影データの登録に伴い通知される識別情報に基づき前記端末装置によって生成される撮影データの購入要求を受信し、前記写真データ預貯金サーバから購入要求に該当する撮影データを読み出してダウンロード提供する撮影データ提供部と、を備えたことを特徴とする。
【手続補正４】
【補正対象書類名】明細書
【補正対象項目名】０００８
【補正方法】変更
【補正の内容】
【０００８】
本発明によれば、事業者により端末装置が操作されることによってアップロードされる撮影データを取り込んで写真データ預貯金サーバに登録し、撮影データの登録に伴い通知される識別情報に基づき利用者が端末装置を操作することによって生成される撮影データの購入要求を受信し、写真データ預貯金サーバから所望の撮影データを読み出してダウンロード提供することで、写真やイベント写真販売時の事業者の負担が軽減され、
かつ、利用者は、必要なときに必要なだけ撮影データを任意に加工する環境を利用できる。
なお、ここで、「写真データ預貯金サーバ」とは、端末と通信ネットワークを介して接続される写真サービス提供システムが持つ記憶装置のうち、事業者に割付けられる所定の記憶領域を有するサーバ装置のことをいう。
【手続補正５】
【補正対象書類名】明細書
【補正対象項目名】０００９
【補正方法】変更
【補正の内容】
【０００９】
また、本発明において、上述の写真データ預貯金サーバを用いた写真サービス提供システムにおいて、前記撮影データの購入要求を受信したときに前記要求のあった端末を介して利用者に対する課金請求を行い、当該課金処理されたことを契機に前記撮影データ提供部による撮影データのダウンロード提供を指示する課金処理部と、を備えたことを特徴とする。
本発明によれば、利用者から撮影データの購入要求を受信したときに要求のあった端末装置を介して利用者に課金請求を行うことで、写真データ預貯金サーバに登録された撮影データを有償販売することができ、事業者は負担が軽減されながら効率的な事業展開がはかれる。
【手続補正６】
【補正対象書類名】明細書
【補正対象項目名】００１０
【補正方法】変更
【補正の内容】
【００１０】
また、本発明のうち、上述の写真データ預貯金サーバを用いた写真サービス提供システムにおいて、前記課金処理部は、利用者が所有する端末または事業者が所有する端末に対して課金処理を行うことを特徴とする。
この発明によれば、利用者は、撮影データのダウンロード時に新たに料金を支払う必要がなくなる。例えば、旅行先などにおいて、料金を準備していなくても撮影データを印刷できるので、印刷する意欲を向上させることができる。
【手続補正７】
【補正対象書類名】明細書
【補正対象項目名】００１１
【補正方法】変更
【補正の内容】
【００１１】
また、本発明のうち、上述の写真データ預貯金サーバを用いた写真サービス提供システムにおいて、前記撮影データのアップロードまたはダウンロードの際に、利用者に対してサービスを提供するためのデータであるサービスデータを端末に送信する送信手段を有することを特徴とする。
この発明によれば、撮影データの提供サービスによって、利用者と事業者側との間を密着させたサービスが提供可能になる。
【手続補正８】
【補正対象書類名】明細書
【補正対象項目名】００１２
【補正方法】変更
【補正の内容】
【００１２】
上記した課題を解決するために本発明は、写真を撮影し販売する事業者、もしくはそれを購入する利用者によって操作されるそれぞれの端末装置と通信ネットワークを介して接続される写真データ預貯金サーバを用いた写真サービス提供システムにおける撮影データの預け入れ・取出し方法であって、前記端末装置からアップロードされる撮影データを取り込み、前記写真データ預貯金サーバに登録するステップと、前記撮影データの登録に伴い通知される識別情報に基づき前記端末装置によって生成される撮影データの購入要求を受信し、前記写真データ預貯金サーバから購入要求に対応する撮影データを読み出してダウンロード提供するステップと、を有することを特徴とする。
【手続補正９】
【補正対象書類名】明細書
【補正対象項目名】００１３
【補正方法】変更
【補正の内容】
【００１３】
上記した課題を解決するために本発明は、写真を撮影し販売する事業者、もしくはそれを購入する利用者によって操作されるそれぞれの端末装置と通信ネットワークを介して接続される写真データ預貯金サーバを用いた写真サービス提供システムに用いられるプログラムであって、前記端末装置からアップロードされる撮影データを取り込み、前記写真データ預貯金サーバに登録する処理と、前記撮影データの登録に伴い通知される識別情報に基づき前記端末装置によって生成される撮影データの購入要求を受信し、前記写真データ預貯金サーバから購入要求に対応する撮影データを読み出してダウンロード提供する処理と、をコンピュータに実行させるプログラムである。